(57)【要約】  指向性を有するマイクロフォンと光ビームを放出する照明デバイスとを含む統合照明及びマイクロフォンシステムを提供する。光ビームは、マイクロフォンの指向性と実質的に同じ方向に放出することができる。照明デバイス及びマイクロフォンは、マイクロフォンと照明デバイスの指向性を一致させるのを助けるために共通干渉管を共有することができる。システムは、音源から音を最適に検出するためにマイクロフォンの視覚的較正を可能にするように調節することができる。音源は、同時に照明することができる。システムは、目立たないものであり、かつ環境の美的要求に合うようにより簡単に使用することができる。複数の統合照明及びマイクロフォンシステムは、複数の音源からの音を最適に検出し、かつターゲット音源を強調して他の音源を抑制する望ましい音声混合体を生成するようにオーディオミキサーと通信することができる。【選択図】      図１
2017500649.tif 000002
【特許請求の範囲】
【請求項１】
音源からの音を検出し、かつ該音を音声信号に変換するためのものであって指向性を有する変換器と、
前記変換器と統合され、該変換器の前記指向性と実質的に同じ方向に光ビームを放出することができる照明デバイスと、
を含むことを特徴とするシステム。
【請求項２】
前記変換器は、単一指向性マイクロフォンを含むことを特徴とする請求項１に記載のシステム。
【請求項３】
前記照明デバイスは、発光ダイオード、ハロゲンライト、蛍光灯、又は白熱電灯のうちの１又は２以上を含むことを特徴とする請求項１に記載のシステム。
【請求項４】
前記照明デバイスは、前記変換器が前記音を最適に検出するように前記音源に関連付けられた区域を照明することができることを特徴とする請求項１に記載のシステム。
【請求項５】
前記変換器及び前記照明デバイスは、前記音源に関連付けられた前記区域を照明するように前記光ビームを向けるために物理的に調節可能であることを特徴とする請求項４に記載のシステム。
【請求項６】
前記変換器は、前記音声信号を受信するために音声記録機又はオーディオミキサーのうちの１又は２以上と通信していることを特徴とする請求項１に記載のシステム。
【請求項７】
前記音声信号を無線周波数（ＲＦ）信号に変調し、かつ該ＲＦ信号を無線音声受信機に無線で送信するためのものであって前記変換器と通信している無線音声送信機を更に含むことを特徴とする請求項１に記載のシステム。
【請求項８】
前記無線音声受信機は、音声記録機又はオーディオミキサーのうちの１又は２以上と通信しており、該無線音声受信機は、前記ＲＦ信号を無線で受信し、該ＲＦ信号を第２の音声信号に復調し、かつ該記第２の音声信号を該音声記録機又は該オーディオミキサーのうちの１又は２以上に送信するためのものであることを特徴とする請求項７に記載のシステム。
【請求項９】
前記照明デバイス及び前記変換器の位置と前記光ビームの前記方向とを物理的に調節するように構成された位置決めモータを更に含むことを特徴とする請求項１に記載のシステム。
【請求項１０】
前記位置決めモータの制御を可能にするためのものであって該位置決めモータと通信している制御デバイスを更に含むことを特徴とする請求項９に記載のシステム。
【請求項１１】
前記変換器及び前記照明デバイスを収容するためのハウジングを更に含むことを特徴とする請求項１に記載のシステム。
【請求項１２】
前記照明デバイスによって放出される前記光ビームは、前記変換器が起動又は停止されているかとは独立に起動又は停止することができることを特徴とする請求項１に記載のシステム。
【請求項１３】
前記照明デバイスによって放出される前記光ビームの起動又は停止を可能にし、かつ前記変換器の起動又は停止を可能にするためのものであって該照明デバイス及び該変換器と通信している制御デバイスを更に含むことを特徴とする請求項１に記載のシステム。
【請求項１４】
各々が指向性を有し、各々が音源からの音を検出し、かつ該音を音声信号に変換するためのものである複数の変換器と、
各々が前記複数の変換器の各々と統合され、各々が該それぞれの変換器の前記指向性と実質的に同じ方向に光ビームを放出することができる複数の照明デバイスと、
前記音声信号の各々を受信し、該音声信号を継続的にモニタし、かつ該受信した音声信号に基づいて前記複数の変換器のうちのどれがアクティブであるかを決定するためのものであって該複数の変換器の各々と通信しているオーディオミキサーと、
を含むことを特徴とするシステム。
【請求項１５】
前記複数の変換器の各々が、単一指向性マイクロフォンを含むことを特徴とする請求項１４に記載のシステム。
【請求項１６】
前記複数の照明デバイスの各々が、発光ダイオード、ハロゲンライト、蛍光灯、又は白熱電灯のうちの１又は２以上を含むことを特徴とする請求項１４に記載のシステム。
【請求項１７】
前記複数の照明デバイスの各々が、前記それぞれの変換器が前記音を最適に検出するように前記音源に関連付けられた区域を照明することができることを特徴とする請求項１４に記載のシステム。
【請求項１８】
前記複数の変換器及び前記複数の照明デバイスは、前記音源に関連付けられた前記区域を照明するように前記それぞれの光ビームを向けるために各々が物理的に調節可能であることを特徴とする請求項１７に記載のシステム。
【請求項１９】
前記複数の照明デバイスの各々によって放出される前記光ビームは、前記それぞれの変換器が起動又は停止されているかとは独立に起動又は停止することができることを特徴とする請求項１４に記載のシステム。
【発明の詳細な説明】
【技術分野】
【０００１】
本出願は、一般的に統合照明及びマイクロフォンシステムに関する。特に、本出願は、マイクロフォンの指向性と実質的に同じ方向に光ビームを放出することができる照明デバイスを含むシステムに関する。
【背景技術】
【０００２】
会議室又はビデオ会議設定などのような会議環境は、音源から音を取り込むためのマイクロフォンの使用を伴う可能性がある。音源は、例えば、人間話者を含む場合がある。取り込んだ音は、環境内のスピーカ、テレビ放送、及び／又はウェブ放送を通して視聴者に広めることができる。一部の環境では、マイクロフォンは、音を取り込むために音源付近のテーブル又は講演台上に置かれる場合がある。しかし、そのようなマイクロフォンは、そのサイズ及び／又はマイクロフォンが使用されている環境の美観のために邪魔又は望ましくない場合がある。これに加えて、テーブル上に置かれたマイクロフォンは、紙を揃える音のような望ましくないノイズを検出する可能性がある。テーブル上に置かれたマイクロフォンはまた、紙、布、又はナプキンによるなどで覆われるか又は遮られる場合があり、そのために音が適正に又は最適に取り込まれない。
【０００３】
他の環境では、マイクロフォンは、主として一方向の音に感受性があるショットガンマイクロフォンを含む場合がある。ショットガンマイクロフォンは、音源から遠く離して位置付けられ、かつ音源が占める区域にマイクロフォンを指向することによって特定の音源からの音を検出するように向けることができる。しかし、その音源から来る音を最適に検出するようにショットガンマイクロフォンを向ける方向を決定するのは、困難かつ厄介である可能性がある。音源からの音の最適検出のためにショットガンマイクロフォンの位置を調節するには、試行錯誤が必要である場合がある。従って、音源からの音は、マイクロフォンの位置が適正に調節されない限り、かつ調節されるまで、理想的に検出されない場合がある。
【先行技術文献】
【特許文献】
【０００４】
【特許文献１】米国特許第４，６５８，４２５号明細書
【特許文献２】米国特許第５，２９７，２１０号明細書
【発明の概要】
【発明が解決しようとする課題】
【０００５】
従って、これらの懸念に対処するシステムに対する好機が存在する。より具体的には、目立たず、音源からの音を最適に検出するようにマイクロフォンの調節を可能にすることができ、かつ音源、例えば、人間話者を同時に照明することができる統合マイクロフォン及び照明デバイスを含むシステムに対する好機が存在する。
【課題を解決するための手段】
【０００６】
本発明は、取りわけ、（１）変換器と、変換器と統合され、変換器の指向性と実質的に同じ方向に光ビームを放出することができる照明デバイスとを含むシステムを提供し、かつ（２）複数の変換器と、複数の変換器の各々と各々が統合され、それぞれの変換器の指向性と実質的に同じ方向に光ビームを各々が放出することができる複数の照明デバイスと、音声信号を受信し、音声信号を継続的にモニタし、かつ受信した音声信号に基づいて変換器のうちのどれがアクティブであるかを決定するためのものであって複数の変換器と通信するオーディオミキサーとを含むシステムを提供するように設計されたシステムを提供することにより、上述の問題を解決することを意図している。
【０００７】
実施形態において、システムは、音源からの音を検出し、かつ音を音声信号に変換するための変換器を含むことができ、変換器は、指向性を有する。システムはまた、変換器と統合された照明デバイスを含むことができ、照明デバイスは、変換器の指向性と実質的に同じ方向に光ビームを放出することができる。
【０００８】
別の実施形態において、システムは、複数の変換器を含み、各々は、音源からの音を検出し、かつ音を音声信号に変換するためのものであり、各変換器は、指向性を有する。システムはまた、複数の照明デバイスを含むことができ、各々は、複数の変換器の各々と統合され、各照明デバイスは、それぞれの変換器の指向性と実質的に同じ方向に光ビームを放出することができる場合がある。システムは、複数の変換器の各々と通信するオーディオミキサーを更に含むことができ、オーディオミキサーは、音声信号の各々を受信し、音声信号を継続的にモニタし、かつ受信した音声信号に基づいて複数の変換器のうちのどれがアクティブであるかを決定するためのものとすることができる。
【０００９】
これら及び他の実施形態、並びに様々な置換及び態様は、本発明の原則を使用することができる様々な方法を示す例示的実施形態を示す以下の詳細説明及び添付図面から明らかになり、かつより完全に理解されるであろう。
【図面の簡単な説明】
【００１０】
【図１】一部の実施形態により統合マイクロフォン及び照明デバイスユニットを含む例示的環境を示す図である。
【図２】一部の実施形態により統合マイクロフォン及び照明デバイスユニットと音声構成要素とを含む例示的音声システムのブロック図である。
【図３】一部の実施形態により統合マイクロフォン及び照明デバイスユニットと、音声構成要素と、制御デバイスとを含む例示的音声システムのブロック図である。
【図４】一部の実施形態により統合マイクロフォン及び照明デバイスユニットと、無線周波数（ＲＦ）送信機と、ＲＦ受信機と、音声構成要素とを含む例示的音声システムのブロック図である。
【図５】一部の実施形態により統合マイクロフォン及び照明デバイスユニットと、位置決めモータと、制御デバイスと、音声構成要素とを含む例示的音声システムのブロック図である。
【図６】複数の統合マイクロフォン及び照明デバイスユニットと、オーディオミキサーと、音声増幅器／記録機とを含む例示的音声システムのブロック図である。
【発明を実施するための形態】
【００１１】
続く説明は、本発明の原則における１又は２以上の特定の実施形態を説明し、示し、かつ例示するものである。この説明は、本発明をここに説明される実施形態に限定するために提供されるものではなく、むしろ、一般的な当業者が本発明の原則を理解することを可能にし、その理解により、ここで説明した実施形態だけでなく、これらの原則に従って想起される他の実施形態でも本発明の原則を実施するために適用することができるような方法で本発明の原則を説明し、教示するものである。本発明の範囲は、文字通り又は同等の原則下の両方で特許請求の範囲に属するこうした実施形態の全てを網羅しようとするものである。
【００１２】
説明及び図面では、類似の又はほぼ同等の要素は、同じ参照番号に分類されることに注意しなければならない。しかし、これらの要素は、例えば、そのような分類がより明確な説明を容易にする場合等は、異なる番号に分類されることもある。これに加えて、ここに説明される図面は、必ずしも縮尺通りに描かれてはおらず、一部の例では、一部の特徴をより明確に図解するために大きさが誇張されている。そのような分類及び描写の試みは、根底にある実質的な目的に必ずしも影響を与えない。上述のように、本明細書は、全体として捉えられ、かつ本明細書に教示されて当業者に理解されるような本発明の原則に従って解釈されることを目的とするものである。
【００１３】
以下に説明するシステムは、音源からの音を最適に検出するようにマイクロフォンの調節を助けることができる。統合マイクロフォン及び照明デバイスシステムは、音源からの音を最適に検出するために、システムを迅速に調節可能にすることにより、マイクロフォンのより簡単な視覚的較正を許容する。特に、照明デバイスは、マイクロフォンの指向性と実質的に同じ方向に光ビームを放出することができ、光ビームは、マイクロフォンの最適な調節を助けることができる。これに加えて、マイクロフォンと照明デバイスを統合することにより、システムは他のタイプのマイクロフォンよりも目立たない一方、同様に音源、例えば、人間話者を照明することができる。ほとんどの人間話者は、照明を提供するのに必要なものとして頭上の照明デバイスを受け入れやすいであろうが、大きいマイクロフォンを別個のデバイスとして頭上に装着することには反対する可能性がある。従って、マイクロフォンと照明デバイスを同じシステム、例えば、共通の管に組み合わせることは、費用対効果が高く、美的に満足な方法で音を取り込み、照明を提供する目的に貢献することができる。
【００１４】
図１は、統合マイクロフォン及び照明デバイスユニットを含む例示的環境を示している。環境は、例えば、人間話者等の音源から音を取り込むためにマイクロフォンが利用される会議室等の会議環境とすることができる。図１に示されている例示的環境では、人間話者（図示せず）は、テーブルの椅子１１０に着席している場合があるが、音源の他の物理的な構成及び配置も考えられ、また可能である。マイクロフォン及び照明デバイスユニット１０２は、図１では、音源からの音を最適に検出して取り込むために、音源が位置すると考えられる椅子１１０を指すように既に調節されて示されている。
【００１５】
マイクロフォン及び照明デバイスユニット１０２内のマイクロフォン１０４は、環境内の音源からの音、例えば、椅子１１０に着席した話者により話される発話などを検出し、取り込むことができる。音は、音源からマイクロフォン１０４へと進行する。一実施形態において、マイクロフォン１０４は、ショットガンマイクロフォン等の主として一方向に感受性がある単一指向性マイクロフォンとすることができる。他の実施形態において、マイクロフォン１０４は、必要に応じて、全方向性、カージオイド型、半カージオイド型等の他の指向性又は極性パターンを有する場合がある。マイクロフォン１０４は、音源からの音を検出し、音を電気的な音声信号に変換するいずれかの適切な変換器とすることができる。例えば、マイクロフォン１０４は、コンデンサマイクロフォン、エレクトレットマイクロフォン、ダイナミックマイクロフォン、リボンマイクロフォン、圧電マイクロフォン、及び／又は他のタイプのマイクロフォンとすることができる。
【００１６】
マイクロフォン及び照明デバイスユニット１０２のうちの各々の照明デバイス１０６は、椅子１１０に着席した話者等の音源のうちの各々の区域を照明することができる光ビーム１０８を放出することができる。光ビーム１０８は、音源を照明し（例えば、視聴者の注意を話者に集めるために）、かつ音源からの音を最適に検出するためにマイクロフォン１０４が適正に調節されることを確実にするという目的に貢献することができる。特に、照明デバイス１０６から発せられる各光ビーム１０８の方向は、各マイクロフォン１０４の指向性と実質的に同じである場合がある。光ビーム１０８は、照明デバイス１０６から音源へと進行する。照明デバイス１０６は、別々の構成要素として又は互いに組み合わせてユニット１０２内でマイクロフォン１０４と統合することができる。ユニット１０２にマイクロフォン１０４及び照明デバイス１０６を収容するために適切なハウジングを使用することができる。一実施形態において、照明デバイス１０６は、１又は２以上の発光ダイオードを含むことができる。他の実施形態において、照明デバイス１０６は、白熱灯、ハロゲンランプ、蛍光灯、白熱電灯、及び／又は他のタイプのライト又はランプのようないずれかの適切な光源を含むことができる。マイクロフォン１０４がショットガンマイクロフォンのような単一指向性である実施形態では、マイクロフォン１０４及び照明デバイス１０６は、音と光ビーム１０８の周波数の違いに起因して音及び光ビーム１０８が互いに干渉しないような共通干渉管（ショトガンバレルとしても公知）を共有することができる。共通干渉管は、マイクロフォン１０４と照明デバイス１０６の指向性を一致させる補助をすることができる。
【００１７】
マイクロフォン及び照明デバイスユニット１０２は、環境の天井及びテーブル中央の頭上に位置する（又はそこから吊り下げられる）トラック１１２上に設置されて図１に示されている。トラック１１２は、美的に満足のいく最適な設定を有するように単一ストリップ、楕円形、Ｕ字形、円形、正方形、矩形などのようなテーブルの周りの位置又は椅子の数、テーブルのサイズ、及び／又は他のファクタに基づいてあらゆる構成又は形式とすることができる。図１のトラック１１２は、環境の頭上に示されているが、マイクロフォン及び照明デバイスユニット１０２は、特定の環境内の他の適切な場所に設置することができる。ユニット１０２内のマイクロフォン１０４の位置の較正が照明デバイス１０６の使用により簡単になるので、ユニット１０２は、環境の美的要求に合ういずれかの適切な場所に設置し、かつ置くことができる。マイクロフォン及び照明デバイスユニット１０２が設置される場所にかかわらず、ユニット１０２は、照明デバイス１０６によって発せられる光ビーム１０８が音源を照明し、マイクロフォン１０４が音源に向けられる視覚的な確証を提供するために、手動又は自動で調節することができる。一部の実施形態では、マイクロフォン１０４及び照明デバイス１０６は、独立に起動又は停止させることができる。例えば、マイクロフォンが調節された後、音源を照明する必要がなければ、照明デバイス１０６を停止することができる。
【００１８】
図１の例示的実施形態に示すトラック１１２は、マイクロフォン及び照明デバイスユニット１０２のマイクロフォン１０４及び照明デバイス１０６への電力のための配線を含むことができる。トラック１１２は、マイクロフォン１０４からの音声信号を音声記録機、オーディオミキサー、増幅器、及び／又は音声信号を処理するための他の構成要素へと伝えるための有線及び／又は無線構成要素を含むことができる。マイクロフォン及び照明デバイスユニット１０２の遠隔制御及び構成のための有線及び／又は無線構成要素もトラック１１２に含めることができる。マイクロフォン及び照明デバイスユニット１０２は、いずれかの適切な手段を使用してトラック１１２に物理的に装着することができる。
【００１９】
図２は、マイクロフォン及び照明ユニット２０２と音声構成要素２０４とを含む例示的音声システム２００のブロック図を例示している。マイクロフォン及び照明デバイスユニット２０２は、例えば、図１で示されたマイクロフォン及び照明デバイスユニット１０２の通り、又は他の構成に構成することができる。マイクロフォン及び照明デバイスは、マイクロフォン及び照明デバイスユニット２０２に含めることができる。図２の音声システム２００では、マイクロフォン及び照明デバイスユニット２０２は、マイクロフォンと照明デバイスユニット２０２のマイクロフォンから音声信号を受信する音声構成要素２０４とに有線又は無線通信することができる。音声構成要素２０４は、音声記録機、オーディオミキサー、増幅器、及び／又は音声信号を処理するための他の構成要素とすることができる。
【００２０】
図３は、マイクロフォン及び照明デバイスユニット３０２と、音声構成要素３０４と、制御デバイス３０６とを含む例示的音声システム３００のブロック図を例示している。マイクロフォン及び照明デバイスユニット３０２は、例えば、図１で示されたマイクロフォン及び照明デバイスユニット１０２の通り、又は他の構成に構成することができる。マイクロフォン及び照明デバイスは、マイクロフォン及び照明デバイスユニット３０２に含めることができる。図３の音声システム３００では、マイクロフォン及び照明デバイスユニット３０２は、マイクロフォン及び照明デバイスユニット３０２のマイクロフォンから音声信号を受信する音声構成要素３０４と有線又は無線通信している。音声構成要素３０４は、音声記録機、オーディオミキサー、増幅器、及び／又は音声信号を処理するための他の構成要素とすることができる。
【００２１】
制御デバイス３０６は、ユニット３０２、マイクロフォン、及び／又は照明デバイスを制御するためにマイクロフォン及び照明デバイスユニット３０２と有線又は無線通信している。例えば、制御デバイス３０６は、必要に応じて、マイクロフォン及び照明デバイスの方向を調節するために、ユニット３０２の物理的な位置決めを可能にするための制御器を含むことができる。制御デバイス３０６は、マイクロフォン及び／又は照明デバイスを起動又は停止するための制御器も含むことができる。制御デバイス３０６上の制御器は、これに加えて、指向性、利得、ノイズ抑制、ピックアップパターン／指向性、ミューティング、周波数応答などのマイクロフォンのパラメータ、及び／又は光ビームの強度、点滅機能、色、集束特性（例えば、集中照明、投光照明）などの照明デバイスのパラメータの調節も可能にすることができる。実施形態において、制御デバイス３０６は、ラップトップコンピュータ、デスクトップコンピュータ、タブレットコンピュータ、スマートフォン、専売デバイス、及び／又は他のタイプの電子デバイスとすることができる。他の実施形態において、制御デバイス３０６は、１又は２以上のスイッチ、調光ノブ、及びボタンなどを含むことができる。
【００２２】
図４は、マイクロフォン及び照明デバイスユニット４０２と、無線周波数（ＲＦ）送信機４０６と、ＲＦ受信機４０８と、音声構成要素４０４とを含む例示的音声システム４００のブロック図を例示している。マイクロフォン及び照明デバイスユニット４０２は、例えば、図１で示されたマイクロフォン及び照明デバイスユニット１０２の通り、又は他の構成に構成することができる。マイクロフォン及び照明デバイスは、マイクロフォン及び照明デバイスユニット４０２に含めることができる。図４の音声システム４００では、マイクロフォン及び照明デバイスユニット４０２は、マイクロフォン及び照明デバイスユニット４０２のマイクロフォンから音声信号を受信する音声構成要素４０４と無線通信している。音声構成要素４０４は、音声記録機、オーディオミキサー、増幅器、及び／又は音声信号を処理するための他の構成要素とすることができる。
【００２３】
マイクロフォン及び照明デバイスユニット４０２と音声構成要素４０４の間の無線通信は、各々がＲＦ信号を送信及び受信するＲＦ送信機４０６及びＲＦ受信機４０８によって容易にすることができる。ＲＦ信号はアナログ又はデジタル変調信号であり、マイクロフォン及び照明デバイスユニット４０２のマイクロフォンからの音声信号を含むことができる。特に、ＲＦ送信機４０６は、マイクロフォンからの音声信号をＲＦ信号に変調し、ＲＦ信号を送信することができる。ＲＦ受信機４０８は、送信されたＲＦ信号を受信し、ＲＦ信号を復調して音声信号を復元することができる。ＲＦ受信機４０８は、その後、音声信号を音声構成要素４０４へ送信することができる。ＲＦ送信機４０６及びＲＦ受信機４０８は、構成要素間の通信に同じ周波数が利用されるように同期することができる。
【００２４】
図５は、照明デバイス５０８、マイクロフォン５１０、及び位置決めモータ５１２を有するマイクロフォン及び照明デバイスユニット５０２と、制御デバイス５０６と、音声構成要素５０４とを含む例示的音声システム５００のブロック図を例示している。マイクロフォン及び照明デバイスユニット５０２は、例えば、図１で示されたマイクロフォン及び照明デバイスユニット１０２の通り、又は他の構成に構成することができる。図５の音声システム５００では、マイクロフォン５１０は、マイクロフォン５１０から音声信号を受信する音声構成要素５０４と有線又は無線通信している。音声構成要素５０４は、音声記録機、オーディオミキサー、増幅器、及び／又は音声信号を処理するための他の構成要素とすることができる。
【００２５】
制御デバイス５０６は、マイクロフォン及び照明デバイスユニット５０２の位置決めモータ５１２と有線又は無線通信している。位置決めモータ５１２は、マイクロフォン及び照明デバイスユニット５０２の物理的な位置を調節し、かつ制御デバイス５０６を通して制御することができる。特に、照明デバイス５０８及びマイクロフォン５１０の方向は、必要に応じて調節することができる。例えば、照明デバイス５０８及びマイクロフォン５１０は、音源が照明デバイス５０８によって発せられる光ビームで照明され、マイクロフォン５１０が音源から音を最適に検出するように、音源、例えば、人間話者に向けることができる。音源が動くのに合わせて音源が照明デバイス５０８によって照明され続け、マイクロフォン５１０が音源から音を最適に検出し続けるように、位置決めモータ５１２は、マイクロフォン及び照明デバイスユニット５０２の物理的な位置を調節するように制御することができる。実施形態において、制御デバイス５０６は、ラップトップコンピュータ、デスクトップコンピュータ、タブレットコンピュータ、スマートフォン、専売デバイス、及び／又は他のタイプの電子デバイスとすることができる。
【００２６】
図６は、複数の統合マイクロフォン及び照明デバイスユニット６０２と、オーディオミキサー６０４と、音声増幅器／記録機６０６とを含む例示的音声システム６００のブロック図である。マイクロフォン及び照明デバイスユニット６０２の各々は、例えば、図１で示されたマイクロフォン及び照明デバイスユニット１０２の通りの構成、又は他の構成にあるとすることができる。図６の音声システム６００では、マイクロフォン及び照明デバイスユニット６０２の各々は、マイクロフォン及び照明デバイスユニット６０２のマイクロフォンから音声信号を受信するオーディオミキサー６０４と有線又は無線通信している。オーディオミキサー６０４は、音声信号の混合（例えば、結合、経路指定、変更、及び／又は他に音声信号の操作）を可能にする構成要素とすることができる。一部の実施形態において、オーディオミキサー６０４は、ラップトップコンピュータ、デスクトップコンピュータ、タブレットコンピュータ、スマートフォン、又は音声信号を混合物するための他の電子デバイスとすることができる。
【００２７】
オーディオミキサー６０４は、マイクロフォン及び照明デバイスユニット６０２内の各マイクロフォンから受信した音声信号を継続的にモニタし、どのマイクロフォンがアクティブであるべきかを決定することができる。実施形態において、マイクロフォン及び照明デバイスユニット６０２内のマイクロフォンのうちの１又は２以上は、特定のマイクロフォンからの音声信号がアクティブ又は非アクティブかに基づいて消音することができる。例えば、音源からの音が止まった場合に、音源に向けられた特定のマイクロフォンは、もう音を検出しないことになる。オーディオミキサー６０４は、その特定のマイクロフォンからの音声信号をモニタし、特定のマイクロフォンが現在非アクティブであると決定し、特定のマイクロフォンを消音することができる。逆に、音源からの音が開始又は続く場合に、音源に向けられた特定のマイクロフォンは、音を検出すると考えられる。この場合に、音源混合器６０４は、その特定のマイクロフォンからの音声信号をモニタし、その特定のマイクロフォンが現在アクティブであると決定することができる。このようにして、ターゲット音源が強調され、他の音源が抑制されるように、必要な音声混合体をオーディオミキサー６０４から出力することができる。オーディオミキサーの実施形態は、本発明の出願人に譲渡された特許である米国特許第４，６５８，４２５号明細書及び米国特許第５，２９７，２１０号明細書に開示されており、これらの各々は、引用によって全体が組み込まれている。
【００２８】
オーディオミキサー６０４は、音声増幅器／記録機６０６と有線又は無線通信することができる。音声増幅器／記録機６０６は、マイクロフォン及び照明デバイスユニット６０２からの音声信号のどれがアクティブであるかをオーディオミキサー６０４が決定した後に、オーディオミキサー６０４から信号を受信することができる。音声増幅器／記録機６０６は、スピーカ、ヘッドフォンなどに出力するために受信信号を増幅し、及び／又は受信信号をフラッシュメモリ、ハードドライブ、半導体ディスク、テープ、光メディアなどのような媒体上に記録する構成要素とすることができる。例えば、音声増幅器／記録機６０６は、スピーカを通して音を視聴者に広めることができる。
【００２９】
上述の図２から図６は、マイクロフォン及び照明デバイスユニットを含むシステムの例示的実施形態である。図２から図６に示す構成要素間の接続は、有線及び／又は無線通信リンク上の制御信号、音声信号、及び／又は他の信号の潜在的な流れを図解しようとするものである。こうした信号は、デジタル及び／又はアナログ形式とすることができる。
【００３０】
本発明の開示は、真の意図された公正な本発明の開示の範囲及び精神を制限するよりも、むしろ技術によって様々な実施形態を作り、使用する方法を説明しようとするものである。以上の説明は、網羅的であること、又は開示した厳密な形態に限定することを意図していない。以上の教示を踏まえて、改良又は変形が可能である。実施形態は、説明した技術の原則及び実施への適用、最適な例示を提供し、一般的な当業者が様々な実施形態及び特定の用途に合うような様々な改良でこの技術を利用することを可能にするように選択及び説明したものである。全てのこうした改良及び変形は、本特許出願が保留されている間に修正される可能性もある特許請求の範囲、及び公正に、合法に、及び正当に権利を与えられる外延に従って解釈される際の全ての均等物によって定められる実施形態の範囲に属するものである。
【図１】
2017500649.tif 000003
【図２】
2017500649.tif 000004
【図３】
2017500649.tif 000005
【図４】
2017500649.tif 000006
【図５】
2017500649.tif 000007
【図６】
2017500649.tif 000008
【国際調査報告】
2017500649.tif 000009
2017500649.tif 000010